(57)【要約】【課題】振動発生用モータを振動以外の用途に使用することができるようにすると共に、携端末機器に備える振動発生用モータにバイブレータ以外の機能を持たせることができるようにして携帯端末機器の利便性を高める。【解決手段】振動発生用モータの重りに着脱可能に構成されたマグネットからなる連結部とこの連結部に取着されたシャフトとから回転部材を構成する。また、この回転部材を振動発生用モータの重りに結合させて振動発生用モータの回転軸とシャフトとを滑らかに回転させることが可能なモータ装置を提供する。さらに、モータ装置の振動発生用モータを携帯端末機器のバイブレータとして搭載させると共に、この振動発生用モータに回転部材を結合させて振動以外の機能が付加された携帯端末機器を提供する。【選択図】図１
2004297907.tif 000002
【特許請求の範囲】
【請求項１】
振動発生用モータの回転軸に備わる重りに対して着脱可能に構成された回転部材であって、該回転部材はシャフトと、該シャフトの一方端に設けられた連結部とを備え、該連結部は前記重りと係合一体化したときに非偏心形状をなし、且つ前記回転軸と前記シャフトの軸線がそれぞれ同一軸線上に配置されるように構成されていることを特徴とする回転部材。
【請求項２】
前記シャフトの他方端に羽根を備えることを特徴とする請求項１に記載の回転部材。
【請求項３】
回転軸の先端に偏心形状を有する重りを備えた振動発生用モータと、前記重りに着脱可能に構成される回転部材とを有し、該回転部材はシャフトと、該シャフトの一方端に設けられた連結部とを備え、該連結部は前記重りと係合一体化したときに非偏心形状となり、前記回転軸と前記シャフトの軸線がそれぞれ同一軸線上に配置されることを特徴とするモータ装置。
【請求項４】
前記連結部は磁石から成り、前記重り及び前記連結部のいずれか一方には、雄形係合部と該雄形係合部の両側に備える第一の傾斜係合部を有し、前記重り及び前記連結部のいずれか他方には、雌形係合部と該雌形係合部の両側に備える第二の傾斜係合部を有し、前記雄形係合部を前記雌形係合部に嵌合させると共に、前記第一の傾斜係合部を前記第二の傾斜係合部に当接させることにより、前記重りと前記連結部とを一体化するようになしたことを特徴とする請求項３に記載のモータ装置。
【請求項５】
前記シャフトの他方端に羽根を備えることを特徴とする請求項３又は４に記載のモータ装置。
【請求項６】
前記振動発生用モータには充電回路を接続し、且つ該充電回路にはバッテリを接続するようにしたことを特徴とする請求項３乃至５のいずれか一つに記載のモータ装置。
【請求項７】
請求項３乃至５のいずれか一つに記載のモータ装置を構成する振動発生用モータを筐体の内部に備え、該筐体に開口する開口部より前記回転部材を前記振動発生用モータに着脱可能に構成するようにしたことを特徴とする携帯端末機器。
【請求項８】
前記筐体内には充電回路及び該充電回路に接続されたバッテリが備えられ、前記振動発生用モータは前記充電回路に接続されていることを特徴とする請求項７に記載の携帯端末機器。
【発明の詳細な説明】
【０００１】
【発明の属する技術分野】
本発明は、振動発生用モータに対して着脱可能に構成された回転部材、この回転部材を備えるモータ装置、及びこのモータ装置を備えた、ページャ、携帯電話機、ＰＤＡ（Ｐｅｒｓｏｎａｌ  Ｄｉｇｉｔａｌ  Ａｓｓｉｓｔａｎｔ）等の携帯端末機器に関する。
【０００２】
【従来の技術】
従来、バイブレータ等の振動発生用モータは、駆動力を発生させるモータ部の回転軸に偏心形状を有する重りを取付け、この重りを偏心回転させることで振動を発生させていた（特許文献１）。
【０００３】
また、従来、振動によって使用者に着信通知やアラーム報知を行う振動発生用モータを筐体内に備えた例えば、特許文献２には、振動によって使用者に着信の通知を行う振動発生用モータを筐体内に備えた携帯端末機器があった（特許文献２）。
【０００４】
〔特許文献１〕
特開平５−４９２１１号公報
〔特許文献２〕
特開平２０００−１２４９７４号公報
【０００５】
【発明が解決しようとする課題】
しかしながら、特許文献１に開示された振動発生用モータは、振動を発生させることを目的としており、バイブレータとしてのみ使用されるものである。このため、振動を発生させないでバイブレータ以外の用途に使用するには、偏心形状を有する重りを外す必要があるが、重りと回転軸とは一体に形成されているために取外すことができず、それ故、振動発生以外の用途にも利用することのできるモータ装置を提供することは難しいものであった。
【０００６】
そこで、本発明の目的は、振動発生用モータを振動発生以外の用途にも使用可能とすることができる回転部材を提供することにある。また、振動発生用モータの重りに回転部材を取付け、振動発生用モータを振動発生以外の用途にも使用することができるモータ装置を提供することにある。さらに、着信報知やアラーム報知用として筐体内に搭載された振動発生用モータを、振動発生以外の用途にも使用することが可能な携帯端末機器を提供することにある。
【０００７】
【課題を解決するための手段】
上記の課題を解決するため、請求項１に係る発明は、回転軸の先端に偏心形状を有する重りを備えた振動発生用モータに着脱可能に構成された回転部材であって、該回転部材はシャフトと、該シャフトの一方端に設けられた連結部とを備え、該連結部は前記重りと係合一体化したときに非偏心形状となり、前記回転軸と前記シャフトの軸線がそれぞれ同一軸線上に配置されるように構成されることを特徴とする。
【０００８】
請求項１に係る発明によれば、回転部材の連結部を振動発生用モータの重りと係合一体化させることすることにより、振動発生用モータを振動発生以外の用途に利用することができる。
【０００９】
また、請求項２に係る発明は、請求項１に記載の回転部材において、前記シャフトの他方端に羽根を備えることを特徴とする。
【００１０】
請求項２に係る発明によれば、重りと回転部材とを係合一体化して回転軸を回転させると、シャフトに備わる羽根を回転させて風を発生させることができる。
【００１１】
請求項３に係る発明は、回転軸の先端に偏心形状を有する重りを備えた振動発生用モータと、前記重りに着脱可能に構成される回転部材とを有し、該回転部材はシャフトと、該シャフトの一方端に設けられた連結部とを備え、該連結部は前記重りと係合一体化したときに非偏心形状となり、前記回転軸と前記シャフトの軸線がそれぞれ同一軸線上に配置されることを特徴とする。
【００１２】
請求項３に係る発明によれば、振動発生用モータの重りに回転部材を係合一体化させることにより、回転軸及びシャフトを滑らかに回転させることが可能となる。
【００１３】
請求項４に係る発明は、請求項３に記載のモータ装置において、前記連結部は磁石から成り、前記重り及び前記連結部のいずれか一方には、雄形係合部と該雄形係合部の両側に備える第一の傾斜係合部を有し、前記重り及び前記連結部のいずれか他方には、雌形係合部と該雌形係合部の両側に備える第二の傾斜係合部を有し、前記雄形係合部を前記雌形係合部に嵌合させると共に、前記第一の傾斜係合部を前記第二の傾斜係合部に当接させることにより、前記重りと前記連結部とを一体化するようになしたことを特徴とする。
【００１４】
請求項４に係る発明によれば、磁力により連結部と重りとが一体化し、雄形係合部と雌形係合部とが嵌合することで、重りと回転部材とが強固に係合一体化され、外れ難くすることができる。
【００１５】
請求項５に係る発明は、請求項３又は４に記載のモータ装置において、前記シャフトの他方端に羽根を備えることを特徴とする。
【００１６】
請求項５に係る発明によれば、重りと回転部材とを係合一体化して回転軸を回転させると、シャフトに備わる羽根を回転させて風を発生させることができ、モータ装置を送風装置として使用することができる。
【００１７】
請求項６に係る発明は、請求項３乃至５のいずれか一つに記載のモータ装置において、前記振動発生用モータには充電回路を接続し、且つ該充電回路にはバッテリを接続するようにしたことを特徴とする。
【００１８】
請求項６に係る発明によれば、振動発生用モータの重りと回転部材とを係合一体化して、シャフトを回転させることで振動発生用モータに起電力を発生させ、この起電力をバッテリに充電することができ、モータ装置を充電装置として使用することができる。
【００１９】
請求項７に係る発明は、請求項３乃至５のいずれか一つに記載のモータ装置を構成する振動発生用モータを筐体の内部に備え、該筐体に開口する開口部より前記回転部材を前記振動発生用モータに着脱可能に構成するようにしたことを特徴とする。
【００２０】
請求項７に係る発明によれば、着信報知やアラーム報知用の振動発生用モータの重りに回転部材を係合一体化させることにより、回転軸及びシャフトを滑らかに回転させることが可能となる。
【００２１】
請求項８に係る発明は、請求項７に記載の携帯端末機器において、前記筐体内には充電回路及び該充電回路に接続されたバッテリが備えられ、前記振動発生用モータは前記充電回路に接続されていることを特徴とする。
【００２２】
請求項８に係る発明によれば、振動発生用モータの重りと回転部材とを係合一体化して、シャフトを回転させることで振動発生用モータに起電力を発生させ、この起電力をバッテリに充電することができ、携帯端末機器に備わるバッテリを充電することができる。
【００２３】
【発明の実施の形態】
以下、本発明の実施形態を添付図面に基づいて説明する。
【００２４】
図１は本発明のモータ装置を構成する回転部材と振動発生用モータとをそれぞれ示す斜視図、図２は本発明のモータ装置を構成する回転部材と振動発生用モータとを一体化した状態を示す斜視図、図３（ａ）は本発明の回転部材に備える連結部を示す正面図、同図（ｂ）は本発明のモータ装置を構成する振動発生用モータに備える重りを示す正面図である。
【００２５】
本発明のモータ装置１００は、振動発生用モータ（以下、単にモータと略称する）１０１とこのモータ１０１に着脱可能に構成される回転部材１０７とからなる。
【００２６】
モータ１０１は、モータ部１０２と、このモータ部１０２に回転可能に設けられた回転軸１０３と、この回転軸１０３の先端に固着された重り１０４とからなる。
【００２７】
重り１０４は、一側面が曲面状に形成された重り部１０４ａと、該重り部１０４ａを前記回転軸１０３に固着するための固定部１０４ｂとからなり、重り部１０４ａ及び固定部１０４ｂは鉄を含む金属により一体的に形成されている。そして、重り１０４の固定部１０４ａをモータ１０１の回転軸１０３にカシメや接着等により固着すると、重り部１０４ａが回転軸１０３に対して偏心した位置に配置されることになるため、モータ部１０２によって回転軸１０３を回転させると、重り部１０４ａが回転軸１０３に対して偏心回転することによりモータ１０１全体を振動させることができるようになっている。
【００２８】
また、重り１０４を構成する重り部１０４ａには、固定部１０４ｂを挟んで両側に第一の傾斜係合部１０６を備えると共に、前記固定部１０４ｂを雄形係合部としてある。
【００２９】
一方、回転部材１０７は、モータ１０１の重り１０４に着脱可能に構成された連結部１０８と、この連結部１０８に固着されたシャフト１１２とを有している。
【００３０】
連結部１０８はマグネットからなり、中央に貫通孔１０９ａを備えた略円板状体をしたもので、一方の主面（最も広い面）には段差を有した肉厚部１０８ａを備え、この肉厚部１０８ａには、貫通孔を挟んで両側に第二の傾斜係合部１１０を備えている。
【００３１】
また、貫通孔１０９ａは大径の孔１０９ｂと小径の孔１０９ｃとを有し、大径の孔１０９ｂはシャフト１１２の径と略同等に形成され、また、小径の孔１０９ｃは重り１０４の固定部１０４ｂの径と略同等に形成されている。そして、シャフト１１２の一端を接着剤等の結合剤を介して前記大径の孔１０９ｂに嵌入することで接合一体化してある。なお、シャフト１１２の他端には４枚の羽根１１４を設けて回転部材１０７を形成してある。また、連結部１０８に備える小径の孔１０９ｃは重り１０４の固定部１０４ｂが嵌め合わされる雌形係合部１０９を構成するようになっている。
【００３２】
そして、回転部材１０７を構成する連結部１０８に備える雌形係合部１０９に重り１０４の固定部１０４ｂを係合させると共に、連結部１０８に備える第二の傾斜係合部１１０と、重り１０４に備える第一の傾斜係合部１０６とを当接させて一体化することにより、回転軸１０３の軸線を中心とする非偏心形状の円盤状体となるようにしてある。また、この時、回転部材１０７の連結部１０８はマグネットにより形成してあるため、鉄を含む金属からなる重り１０４との間で磁力による吸引力を発生させ、両者を一体化することができる。
【００３３】
その為、回転部材１０７の連結部１０８を振動発生用モータ１０１の重り１０４に取着すれば、回転部材１０７のシャフト１１２の軸線を、回転軸１０３の軸線と同一軸線上に位置するように配置することができ、モータ部１０２によって回転軸１０３を回転させれば、振動させることなく、シャフト１１２を滑らかに回転させることができる。
【００３４】
そして、本実施形態によれば、シャフト１１２の他端に羽根１１４を設けてあることから、回転軸１０３を回転させれば羽根１１４を回しで風を起こすことができ、旋風装置として機能させることができる。
【００３５】
次に、本発明のモータ装置１００を発電装置として用いた応用例について図４を基に説明する。
【００３６】
即ち、モータ装置１００を構成するモータ１０１とバッテリー１２３との間に充電回路１２２を介在させたもので、モータ１０１の重り１０４と回転部材１０７の連結部１０８とを係合一体化し、回転部材１０７とモータ１０１とを一体とした状態でシャフト１１２に備える羽根１１４を自然風によって回転させ、この羽根１１４の回転に伴ってシャフト１１２を回転させることにより、モータ部１０２内に起電力を発生させ、モータ部１０２で得られた電力を充電回路１２２を介してバッテリー１２３に供給して充電することができる。
【００３７】
次に、本発明の携帯端末機器を図５及び図６に基づいて説明する。
【００３８】
携帯端末機器１１５を構成する筐体１１６の正面には表示部１１８及びキー操作部１１９を、筐体１１６の上面にはアンテナ１２０をそれぞれ配置してある。筐体１１６の内部には、着信報知やアラーム報知を振動によってユーザーに知らせるためのバイブレータとして、図１に示すモータ１０１を内蔵してあり、筐体１１６の側面に設けた開口部１１７を通して、回転部材１０７がモータ１０１と着脱可能となっている。
【００３９】
即ち、図６（ａ）に示すように、筐体１１６の側面に開口部１１７が設けられており、筐体１１５の内部にはモータ１０１を内蔵してある。モータ１０１は筐体１１６の側面に対して垂直な直線βと回転軸１０３とが平行となるように配置してある。
【００４０】
そして、重り１０４と回転部材１０７とを係合一体化しない状態でモータ１０１を駆動させると、重り１０４の偏心回転に伴ってモータ１０１が振動し、この振動に伴って筐体１１６が振動するようになっている。
【００４１】
これに対し、開口部１１７を通して回転部材１０７を筐体１１６の内部に挿入し、図６（ｂ）に示すように、連結部１０８の雌形係合部１０９と重り１０４の雄形係合部１０５とを係合させると共に、連結部１０８の第二の傾斜係合部１１０と重り１０４の第一の傾斜係合部１０６とを当接させて重り１０４と回転部材１０７とを係合一体化すると、重り１０４の偏心が除去されて、回転軸１０３とシャフト１１２の軸線が同一軸線β上に配置されることにより、回転軸１０３を中心としてシャフト１１２を振動させることなく回転させることができる。
【００４２】
そして、本実施形態では、シャフト１１２の他端に羽根１１４を設けてあるため、モータ１０１を駆動させて羽根１１４を回転させれば、ユーザーに風を送る旋風機能を携帯端末機器１１５に付加することができる。
【００４３】
一方、本発明の携帯端末機器の応用例として、図７に示すように、筐体１１６内に備えるモータ１０１とバッテリー１３３との間に充電回路１３２を介在させると共に、開口部１１７を通して回転部材１０７をモータ１０１の重り１０４に係合一体化し、自然風によって回転部材１０７に備える羽根１１４を回転させ、この羽根１１４の回転に伴ってシャフト１１２を回転させてモータ部１０２内に起電力を発生させることにより、モータ部１０２で得られた電力を充電回路１２２を介してバッテリー１３３に供給してバッテリー１３３を充電することができる。
【００４４】
以上、本実施形態では、回転部材１０７に備えるシャフト１１２の他端に羽根１１４を設け、モータ１０１によって羽根１１４を回転させることにより旋風装置として機能させ、また、羽根１１４を自然風によって回転させることによりモータ部１０２に起電力を発生させ、充電回路１２２，１３２とバッテリー１２３，１３３によって発電装置として機能させた例を示したが、本発明はこれらの実施形態に限定させるものではなく、例えば、シャフト１１２の他端にハンドルを取付け、ユーザの手でシャフト１１２を回転させることによりバッテリ１２３，１３３を充電できるようにしても良く、この他、シャフト１１２の他端にプラスドライバーやマイナスドライバーを設け、モータ１０１を回転させることによりネジの締め付けや取り外しに用いることもできる。このように、ユーザの要望に応じて、シャフト１１２の他端を種々の形状に形成することで、モータ１０１を振動発生以外の用途に利用することが可能となる。
【００４５】
【発明の効果】
以上のように、本発明の回転部材によれば、振動発生用モータの重りと係合一体化させることすることにより、振動発生用モータをバイブレータとしての機能以外の用途に用いることができる。例えば、回転部材に羽根を設けることにより旋風装置や発電装置として機能させることができる。
【００４６】
また、本発明のモータ装置によれば、回転部材を取り付けていない状態ではバイブレータとして用いることができ、また、回転部材を振動発生用モータに取り付けることによりモータの回転軸及び回転部材のシャフトを滑らかに回転させることができ、振動発生用モータをバイブレータとしての機能以外の用途にも適用可能なモータ装置を提供することができる。
【００４７】
さらに、本発明の携帯端末機器によれば、回転部材を取り付けていない状態ではバイブレータとして用いることができ、振動発生用モータの振動によって着信をユーザーに知らせることができると共に、回転部材を振動発生用モータに取り付けることによりモータの回転軸及び回転部材のシャフトを滑らかに回転させることができ、振動発生用モータをバイブレータとしての機能以外の用途にも適用可能な携帯端末機器を提供することができる。
【図面の簡単な説明】
【図１】本発明のモータ装置を構成する回転部材と振動発生用モータとをそれぞれ示す斜視図である。
【図２】本発明のモータ装置を構成する回転部材と振動発生用モータとを一体化した状態を示す斜視図である。
【図３】（ａ）は本発明の回転部材に備える連結部を示す正面図、（ｂ）は本発明のモータ装置を構成する振動発生用モータに備える重りを示す正面図である。
【図４】本発明のモータ装置とバッテリーとの間に充電回路を設けて発電装置を構成した概念図である。
【図５】（ａ）は本発明の携帯端末機器と回転部材とを別々に示した状態を示す斜視図であり、（ｂ）は本発明の携帯端末装置に回転部材に取着した状態を示す斜視図である。
【図６】（ａ）は図５（ａ）の要部を示す断面図であり、（ｂ）は図５（ｂ）の要部を示す断面図である。
【図７】本発明の携帯端末機器に備える発電装置の構成を示す概念図である。
【符号の説明】
１００                    モータ装置
１０１                    振動発生用モータ
１０２                    モータ部
１０３                    回転軸
１０４                    重り
１０５                    雄形係合部
１０６                    第一の傾斜係合部
１０７                    回転部材
１０８                    連結部
１０９                    雌形係合部
１１０                    第二の傾斜係合部
１１２                    シャフト
１１４                    羽根
１１５                    携帯端末機器
１１６                    筐体
１１７                    開口部
１１８                    表示部
１１９                    キー操作部
１２０                    アンテナ
１２１                    給電端子
１２２，１３２            充電回路
１２３，１３３            バッテリ
【図１】
2004297907.tif 000003
【図２】
2004297907.tif 000004
【図３】
2004297907.tif 000005
【図４】
2004297907.tif 000006
【図５】
2004297907.tif 000007
【図６】
2004297907.tif 000008
【図７】
2004297907.tif 000009